(57)【要約】【課題】操作者の意図に反して繰り返し性を有する放送番組の録画が行われることのない放送受信録画装置及び放送番組の予約受信録画方法を提供する。【解決手段】新規の予約放送番組の予約情報が記憶手段に記憶される際に、新規の予約放送番組と放送予定日時が重複する既予約の繰り返し性を有する予約放送番組の予約情報を無効状態に設定すると共に、新規の予約放送番組の予約情報を有効状態に設定して、新規の予約放送番組の受信録画を終了した後、既予約の繰り返し性を有する予約放送番組の予約情報を有効状態に復旧して、復旧せしめられた既予約の繰り返し性を有する予約放送番組の予約情報に基づいた受信録画を終了した後で、既予約の繰り返し性を有する予約放送番組の予約情報に基づいて受信録画された放送番組が、所定期間内に再生されない場合に、既予約の繰り返し性を有する予約放送番組の予約情報を削除する。【選択図】図３
2008199310.tif 000002
【特許請求の範囲】
【請求項１】
放送予定日時の情報を含む予約放送番組の予約情報の操作者による選択入力を受け付ける予約情報受付手段と、前記予約情報受付手段が受け付けた予約情報を記憶する記憶手段と、現在日時を監視して現在日時が前記記憶手段に記憶された予約放送番組の放送予定日時に達したときに前記予約放送番組を受信して当該受信した放送信号を記録媒体に記録する受信録画実行手段と、を有する放送受信録画装置であって、
新規の予約放送番組の予約情報が前記記憶手段に記憶される際に、前記新規の予約放送番組と放送予定日時が重複する既予約の繰り返し性を有する予約放送番組の予約情報を無効状態に設定すると共に、前記新規の予約放送番組の予約情報を有効状態に設定する予約情報設定手段と、
前記新規の予約放送番組の受信録画を終了した後、前記既予約の繰り返し性を有する予約放送番組の予約情報を有効状態に復旧する予約情報復旧手段と、
前記予約情報復旧手段により復旧せしめられた既予約の繰り返し性を有する予約放送番組の予約情報に基づいた受信録画を終了した後で、前記既予約の繰り返し性を有する予約放送番組の予約情報に基づいて受信録画された放送番組が、所定期間内に再生されない場合に、前記既予約の繰り返し性を有する予約放送番組の予約情報を削除する予約情報削除手段と、を有することを特徴とする放送受信録画装置。
【請求項２】
前記所定期間は、前記既予約の繰り返し性を有する予約放送番組の次の放送予定日時までの期間であることを特徴とする請求項１記載の放送受信録画装置。
【請求項３】
前記予約情報復旧手段により復旧せしめられた既予約の繰り返し性を有する予約放送番組の予約情報に基づいた受信録画を終了した後で、前記既予約の繰り返し性を有する予約放送番組の予約情報に基づいて受信録画された放送番組が、所定期間内に再生された後で、前記既予約の繰り返し性を有する予約放送番組の予約情報を削除するか否かの入力を催告する画面を表示する予約情報削除指示入力催告手段と、
前記予約情報を削除する入力があった場合に、前記予約情報を削除する削除指示実行手段と、を更に有することを特徴とする請求項１記載の放送受信録画装置。
【請求項４】
放送予定日時の情報を含む予約放送番組の予約情報の操作者による選択入力を受け付けるステップと、受け付けた予約情報を記憶するステップと、現在日時を監視して現在日時が記憶された予約放送番組の放送予定日時に達したときに前記予約放送番組を受信して当該受信した放送信号を記録媒体に記録するステップと、を有する放送番組の予約受信録画方法であって、
新規の予約放送番組の予約情報が記憶される際に、前記新規の予約放送番組と放送予定日時が重複する既予約の繰り返し性を有する予約放送番組の予約情報を無効状態に設定すると共に、前記新規の予約放送番組の予約情報を有効状態に設定するステップと、
前記新規の予約放送番組の受信録画を終了した後、前記既予約の繰り返し性を有する予約放送番組の予約情報を有効状態に復旧するステップと、
予約情報が有効状態に復旧せしめられた既予約の繰り返し性を有する予約放送番組の予約情報に基づいた受信録画を終了した後で、前記既予約の繰り返し性を有する予約放送番組の予約情報に基づいて受信録画された放送番組が、所定期間内に再生されない場合に、前記既予約の繰り返し性を有する予約放送番組の予約情報を削除するステップと、を有することを特徴とする放送番組の予約受信録画方法。
【請求項５】
前記所定期間は、前記既予約の繰り返し性を有する予約放送番組の次の放送予定日時までの期間であることを特徴とする請求項４記載の放送番組の予約受信録画方法。
【請求項６】
予約情報が有効状態に復旧せしめられた既予約の繰り返し性を有する予約放送番組の予約情報に基づいた受信録画を終了した後で、前記既予約の繰り返し性を有する予約放送番組の予約情報に基づいて受信録画された放送番組が、所定期間内に再生された後で、前記既予約の繰り返し性を有する予約放送番組の予約情報を削除するか否かの入力を催告する画面を表示するステップと、
前記予約情報を削除する入力があった場合に、前記予約情報を削除するステップと、を更に有することを特徴とする請求項４記載の放送番組の予約受信録画方法。
【発明の詳細な説明】
【技術分野】
【０００１】
本発明は、放送番組を受信して録画する放送受信録画装置及び放送番組の予約受信録画方法に関する。
【背景技術】
【０００２】
従来、操作者が選択した放送番組をハードディスクやＤＶＤディスク等に録画することが行われている。放送番組の中には、特定曜日の特定時間に毎週放送される繰り返し性を有する放送番組がある。この繰り返し性を有する放送番組を録画するために、特定の放送チャンネルの曜日及び時間を指定して録画の予約を行い、毎週指定された曜日及び時間に特定の放送チャンネルの録画を行う場合がある。このような予約がある状況で、新規に録画の予約が行われた場合、この新規の予約は、既に予約されている繰り返し性を有する放送番組を録画するための予約と曜日及び時間が重複することがある。この場合、例えば、特許文献１に記載の装置では、既に予約されている繰り返し性を有する放送番組を録画するための予約を無効状態に設定して、新規に予約された録画を実行する。そして、新規に予約された録画の実行が完了した後で、無効状態にした繰り返し性を有する放送番組を録画するための予約を有効状態に復旧する。その後は、有効状態に復旧せしめられた繰り返し性を有する放送番組を録画するための予約に基づいて録画が行われる。
【特許文献１】特開平１０−３４１３８１号公報
【発明の開示】
【発明が解決しようとする課題】
【０００３】
上記した如く装置においては、新規に予約された録画の実行が完了した後で、無効状態に設定した繰り返し性を有する放送番組を録画するための予約を有効状態に復旧している。それ故、新規に録画の予約を行うことにより、曜日及び時間が重複する繰り返し性を有する放送番組を録画するための予約を削除する意図が予約を行った操作者にあったとしても、その意図に反して繰り返し性を有する放送番組の録画が行われてしまう。
【０００４】
本発明は上記した点に鑑みてなされたものであり、操作者の意図に反して繰り返し性を有する放送番組の録画が行われることのない放送受信録画装置及び放送番組の予約受信録画方法を提供することを目的とする。
【課題を解決するための手段】
【０００５】
本発明の放送受信録画装置は、放送予定日時の情報を含む予約放送番組の予約情報の操作者による選択入力を受け付ける予約情報受付手段と、予約情報受付手段が受け付けた予約情報を記憶する記憶手段と、現在日時を監視して現在日時が記憶手段に記憶された予約放送番組の放送予定日時に達したときに予約放送番組を受信して当該受信した放送信号を記録媒体に記録する受信録画実行手段と、を有する放送受信録画装置であって、新規の予約放送番組の予約情報が記憶手段に記憶される際に、新規の予約放送番組と放送予定日時が重複する既予約の繰り返し性を有する予約放送番組の予約情報を無効状態に設定すると共に、新規の予約放送番組の予約情報を有効状態に設定する予約情報設定手段と、新規の予約放送番組の受信録画を終了した後、既予約の繰り返し性を有する予約放送番組の予約情報を有効状態に復旧する予約情報復旧手段と、予約情報復旧手段により復旧せしめられた既予約の繰り返し性を有する予約放送番組の予約情報に基づいた受信録画を終了した後で、既予約の繰り返し性を有する予約放送番組の予約情報に基づいて受信録画された放送番組が、所定期間内に再生されない場合に、既予約の繰り返し性を有する予約放送番組の予約情報を削除する予約情報削除手段と、を有することを特徴とする。
【０００６】
本発明の放送番組の予約受信録画方法は、放送予定日時の情報を含む予約放送番組の予約情報の操作者による選択入力を受け付けるステップと、受け付けた予約情報を記憶するステップと、現在日時を監視して現在日時が記憶された予約放送番組の放送予定日時に達したときに予約放送番組を受信して当該受信した放送信号を記録媒体に記録するステップと、を有する放送番組の予約受信録画方法であって、新規の予約放送番組の予約情報が記憶される際に、新規の予約放送番組と放送予定日時が重複する既予約の繰り返し性を有する予約放送番組の予約情報を無効状態に設定すると共に、新規の予約放送番組の予約情報を有効状態に設定するステップと、新規の予約放送番組の受信録画を終了した後、既予約の繰り返し性を有する予約放送番組の予約情報を有効状態に復旧するステップと、予約情報が有効状態に復旧せしめられた既予約の繰り返し性を有する予約放送番組の予約情報に基づいた受信録画を終了した後で、既予約の繰り返し性を有する予約放送番組の予約情報に基づいて受信録画された放送番組が、所定期間内に再生されない場合に、既予約の繰り返し性を有する予約放送番組の予約情報を削除するステップと、を有することを特徴とする。
【発明を実施するための最良の形態】
【０００７】
以下、本発明の実施例について図面を参照しつつ詳細に説明する。
【０００８】
図１は、本発明に係る放送受信録画装置の実施例を示している。受信部２は、アンテナ又はケーブルを介して供給されたテレビジョン放送波から、指定された放送チャンネルに対応した放送局からのテレビジョン放送波のみを選局する。そして、受信部２は、選局したテレビジョン放送波を復調してテレビジョン信号を出力する。記録信号処理部３は、テレビジョン信号を記録用の信号に変換して出力する。記録再生部４は、記録信号処理部３により変換された記録用の信号を、ハードディスクやＤＶＤ等の記録媒体に録画する。コントローラ５は、放送受信録画装置１の制御を行う。メモリ６には、各種の制御プログラムや予約情報テーブル７が記録されている。操作入力部８は、操作者からの再生や停止等の各種指令入力や予約情報の入力を受け付ける。
【０００９】
図２に、予約情報テーブル７の例を示す。予約情報テーブル７には、予約情報が記録されている。予約番号の項目には、予約情報の各々を識別するための番号が記録されている。チャンネルの項目には、録画対象の放送チャンネルが記録されている。曜日の項目には、録画を開始する曜日が記録されている。開始時刻の項目には、録画を開始する時刻が記録されている。終了時刻の項目には、録画を終了する時刻が記録されている。録画種別の項目には、録画種別が記録されている。録画種別には、「通常」、「臨時」、「繰り返し」の３つがある。録画種別の「臨時」は、既に予約されている繰り返し性を有する放送番組の予約情報と曜日及び時刻が重複するときに設定される。録画種別の「繰り返し」は、毎週特定の曜日の特定の時刻に放送される繰り返し性を有する放送番組を録画する場合に設定される。録画種別の「通常」は、上記した場合以外のときに設定される。状態の項目には、予約情報の状態が記録される。予約情報の状態には、「有効」、「暫定有効」、「無効」の３つがある。予約情報の状態が「無効」の場合は、その予約情報に基づく録画は実行されない。予約情報の状態が「有効」及び「暫定有効」の場合は、その予約情報に基づく録画が実行される。
【００１０】
図３に、放送受信録画装置１で行われる予約情報の入力及び予約情報に基づく録画についての動作を示す。
【００１１】
操作入力部８は、操作者からの予約情報を入力する操作を受け付けると、予約情報を入力する操作があったことをコントローラ５へ通知する（ステップＳ３０１）。コントローラ５は、予約情報を入力する操作あったことの通知を受信すると、操作者により入力された予約情報を予約情報テーブル７に記録する（ステップＳ３０２）。このとき、記録する予約情報の状態の項目は、「有効」に設定する。また、コントローラ５は、入力された予約情報と曜日及び時刻が重複する繰り返し性を有する放送番組の予約情報が既に予約情報テーブル７に記録されているかどうかを確認する。ここで、操作者により入力された予約情報が放送チャンネル「８」を金曜日の「２１：００」から「２２：００」まで録画するであるとする。また、予約情報が入力される前の予約情報テーブル７の状態が図２のようであったとする。この場合、今回入力された予約情報は、予約番号が「２」の繰り返し性を有する放送番組の予約情報と曜日及び時刻が重複する。既に予約情報テーブル７に記録されている繰り返し性を有する放送番組の予約情報と曜日及び時刻が重複する場合は、その重複する繰り返し性を有する放送番組の予約情報の状態の項目を「無効」に設定する（ステップＳ３０３）。それと共に、今回入力された予約情報の録画種別の項目を「臨時」に設定する。このときの予約情報テーブル７の状態を図４に示す。
【００１２】
その後、予約番号が「３」の予約情報に記録されている曜日の開始時刻になったとする。このとき、コントローラ５は、予約番号が「３」の予約情報に記録されている放送チャンネル「８」を選局して受信するように受信部２に向けて指令を出す（ステップＳ３０４）。それと共に、コントローラ５は、受信部２が受信した放送番組を録画するように記録再生部４に向けて指令を出す（ステップＳ３０５）。受信部２は、コントローラ５からの指令を受けると、指定された放送チャンネルを選局して受信する。また、記録再生部４は、コントローラ５からの指令を受けると、受信部２が受信した放送番組を記録媒体に録画する動作を開始する。
【００１３】
その後、予約番号が「３」の予約情報に記録されている終了時刻になると、コントローラ５は、記録再生部４に向けて録画を停止するように指令を出す（ステップＳ３０６）。記録再生部４は、コントローラ５からの指令を受けると、録画の動作を停止する。コントローラ５は、録画を停止する指令を出した後、停止した録画に対応する予約情報を予約情報テーブル７から削除すると共に、その予約情報を記録するときに、状態の項目を「無効」に設定した繰り返し性を有する放送番組の予約情報の状態の項目を「暫定有効」に設定する（ステップＳ３０７）。このときの予約情報テーブル７の状態を図５に示す。
【００１４】
その後、予約番号が「２」の繰り返し性を有する放送番組の予約情報に記録されている曜日の開始時刻になったとする。このとき、コントローラ５は、予約番号が「２」の予約情報に記録されている放送チャンネル「１０」を選局して受信するように受信部２に向けて指令を出す（ステップＳ３０８）。それと共に、コントローラ５は、受信部２が受信した放送番組を録画するように記録再生部４に向けて指令を出す（ステップＳ３０９）。受信部２は、コントローラ５からの指令を受けると、指定された放送チャンネルを選局して受信する。また、記録再生部４は、コントローラ５からの指令を受けると、受信部２が受信した放送番組を記録媒体に録画する動作を開始する。その後、予約番号が「２」の予約情報に記録されている終了時刻になったとする。このとき、コントローラ５は、記録再生部４に向けて録画を停止するように指令を出す（ステップＳ３１０）。記録再生部４は、コントローラ５からの指令を受けると、録画の動作を停止する。
【００１５】
ここで、Ｓ３０９の処理により録画された放送番組が再生されない状態で、再び、予約番号が「２」の繰り返し性を有する放送番組の予約情報に記録されている曜日の開始時刻になったとする（ステップＳ３１１）。このとき、コントローラ５は、予約番号が「２」の繰り返し性を有する放送番組の予約情報を予約情報テーブル７から削除する（ステップＳ３１２）。このときの予約情報テーブル７の状態を図６に示す。
【００１６】
このように、実施例の放送受信録画装置１は、曜日及び時刻の重複する新規の予約情報の入力により無効状態に設定された繰り返し性を有する放送番組の予約情報を、新規の予約情報に基づいた録画の終了後に有効状態に復旧している。そして、復旧された繰り返し性を有する放送番組の予約情報に基づいた録画の終了後、所定期間内にその録画された放送番組が再生されない場合は、繰り返し性を有する放送番組の予約情報を削除している。それ故、操作者の意図に反して繰り返し性を有する放送番組の録画が実行されることを防ぐことが出来る。
【００１７】
図７に、放送受信録画装置１で行われる予約情報の入力及び予約情報に基づく録画についての動作を示す。
【００１８】
操作入力部８は、操作者からの予約情報を入力する操作を受け付けると、予約情報を入力する操作があったことをコントローラ５へ通知する（ステップＳ７０１）。コントローラ５は、予約情報を入力する操作あったことの通知を受信すると、操作者により入力された予約情報を予約情報テーブル７に記録する（ステップＳ７０２）。このとき、記録する予約情報の状態の項目は、「有効」に設定する。また、コントローラ５は、入力された予約情報と曜日及び時刻が重複する繰り返し性を有する放送番組の予約情報が既に予約情報テーブル７に記録されているかどうかを確認する。ここで、操作者により入力された予約情報が放送チャンネル「８」を金曜日の「２１：００」から「２２：００」まで録画するであるとする。また、予約情報が入力される前の予約情報テーブル７の状態が図２のようであったとする。この場合、今回入力された予約情報は、予約番号が「２」の繰り返し性を有する放送番組の予約情報と曜日及び時刻が重複する。既に予約情報テーブル７に記録されている繰り返し性を有する放送番組の予約情報と曜日及び時刻が重複する場合は、その重複する繰り返し性を有する放送番組の予約情報の状態の項目を「無効」に設定する（ステップＳ７０３）。それと共に、今回入力された予約情報の録画種別の項目を「臨時」に設定する。このときの予約情報テーブル７の状態を図４に示す。
【００１９】
その後、予約番号が「３」の予約情報に記録されている曜日の開始時刻になったとする。このとき、コントローラ５は、予約番号が「３」の予約情報に記録されている放送チャンネル「８」を選局して受信するように受信部２に向けて指令を出す（ステップＳ７０４）。それと共に、コントローラ５は、受信部２が受信した放送番組を録画するように記録再生部４に向けて指令を出す（ステップＳ７０５）。受信部２は、コントローラ５からの指令を受けると、指定された放送チャンネルを選局して受信する。また、記録再生部４は、コントローラ５からの指令を受けると、受信部２が受信した放送番組を記録媒体に録画する動作を開始する。
【００２０】
その後、予約番号が「３」の予約情報に記録されている終了時刻になると、コントローラ５は、記録再生部４に向けて録画を停止するように指令を出す（ステップＳ７０６）。記録再生部４は、コントローラ５からの指令を受けると、録画の動作を停止する。コントローラ５は、録画を停止する指令を出した後、停止した録画に対応する予約情報を予約情報テーブル７から削除すると共に、その予約情報を記録するときに状態の項目を「無効」に設定した繰り返し性を有する放送番組の予約情報の状態の項目を「暫定有効」に設定する（ステップＳ７０７）。このときの予約情報テーブル７の状態を図５に示す。
【００２１】
その後、予約番号が「２」の繰り返し性を有する放送番組の予約情報に記録されている曜日の開始時刻になったとする。このとき、コントローラ５は、予約番号が「２」の予約情報に記録されている放送チャンネル「１０」を選局して受信するように受信部２に向けて指令を出す（ステップＳ７０８）。それと共に、コントローラ５は、受信部２が受信した放送番組を録画するように記録再生部４に向けて指令を出す（ステップＳ７０９）。受信部２は、コントローラ５からの指令を受けると、指定された放送チャンネルを選局して受信する。また、記録再生部４は、コントローラ５からの指令を受けると、受信部２が受信した放送番組を記録媒体に録画する動作を開始する。その後、予約番号が「２」の予約情報に記録されている終了時刻になったとする。このとき、コントローラ５は、記録再生部４に向けて録画を停止するように指令を出す（ステップＳ７１０）。記録再生部４は、コントローラ５からの指令を受けると、録画の動作を停止する。
【００２２】
ここで、Ｓ７０９の処理により録画された放送番組を再生する操作があったとする。このとき操作入力部８は、Ｓ７０９の処理により録画された放送番組を再生する操作があったことを、コントローラ５へ通知する（ステップＳ７１１）。コントローラ５は、再生の操作があったことの通知を受信すると、記録再生部４に向けて再生指令を送出する（ステップＳ７１２）。記録再生部４は、コントローラ５からの指令を受けると、Ｓ７０９の処理により録画された放送番組を再生する。そして、再生が完了すると、記録再生部４は、コントローラ５に向けて再生完了を通知する（ステップＳ７１３）。コントローラ５は、再生完了の通知を受信すると、予約情報削除指示入力画面を表示する（ステップＳ７１４）。このとき表示される予約情報削除指示入力画面の例を図８に示す。予約情報削除指示入力画面８００は、メッセージ表示部８０１、削除可入力ボタン８０２、削除不可入力ボタン８０３から構成されている。メッセージ表示部８０１は、この画面が予約情報削除指示入力画面８００であることを示している。削除可入力ボタン８０２は、予約情報を削除する場合に選択する。削除不可入力ボタン８０３は、予約情報を削除しない場合に選択する。
【００２３】
ここでは、操作者により削除不可入力ボタン８０３が選択されたとする。この場合、操作入力部８は、コントローラ５へ削除不可が入力されたことを通知する（ステップＳ７１５）。コントローラ５は、削除不可が入力されたことの通知を受信すると、再生の完了した放送番組に対応する予約情報の状態の項目を「有効」に設定する（ステップＳ７１６）。このときの予約情報テーブル７の状態を図９に示す。
【００２４】
一方、操作者により削除可入力ボタン８０２が選択されると、操作入力部８は、コントローラ５へ削除可が入力されたことを通知する。そして、コントローラ５は、再生の完了した放送番組に対応する予約情報を予約情報テーブル７から削除する。このときの予約情報テーブル７の状態を図６に示す。
【００２５】
このように、実施例の放送受信録画装置１は、有効状態に復旧された繰り返し性を有する放送番組の予約情報に基づいた録画の終了後、所定期間内にその録画された放送番組が再生された後で、予約情報を削除するか否かの入力を催告する予約情報削除指示入力画面を表示している。そして、操作者からの入力に応じて繰り返し性を有する放送番組の予約情報の削除を実行している。それ故、操作者が残しておきたいと考える繰り返し性を有する放送番組の予約情報のみを残すことが出来る。
【００２６】
図１０に、放送受信録画装置１のコントローラ５で実行される予約情報設定ルーチンの動作を示す。予約情報設定ルーチンは、操作入力部８が予約情報の入力を受け付けると実行される。
【００２７】
コントローラ５は、操作者により新規に入力された予約情報を予約情報テーブル７に記録して、記録した予約情報の状態の項目を「有効」に設定する（ステップＳ１００１）。予約情報を記録した後、コントローラ５は、新規に入力された予約情報と曜日及び時刻が重複する繰り返し性を有する放送番組の予約情報が既に予約情報テーブル７に記録されているかどうかを確認する（ステップＳ１００２）。
【００２８】
曜日及び時刻が重複する繰り返し性を有する放送番組の予約情報が既に予約情報テーブル７に記録されている場合、コントローラ５は、その既に記録されている繰り返し性を有する放送番組の予約情報の状態の項目を「無効」に設定する（ステップＳ１００３）。そして、コントローラ５は、新規に入力された予約情報の録画種別の項目に「臨時」を設定する（ステップＳ１００４）。
【００２９】
一方、曜日及び時刻が重複する繰り返し性を有する放送番組の予約情報が予約情報テーブル７に記録されていない場合、コントローラ５は、新規に入力された予約情報の録画種別の項目に「通常」を設定する（ステップＳ１００５）。
【００３０】
図１１に、放送受信録画装置１のコントローラ５で実行される予約情報復旧ルーチンの動作を示す。予約情報復旧ルーチンは、録画種別の項目に「臨時」が記録されている予約情報に基づく録画が終了したときに実行される。
【００３１】
コントローラ５は、録画の終了した録画種別の項目に「臨時」が記録されている予約情報を予約情報テーブル７から削除する（ステップＳ１１０１）。そして、コントローラ５は、削除した予約情報が入力されたときに、状態の項目を「無効」に設定した繰り返し性を有する放送番組の予約情報の状態の項目を「暫定有効」に設定する（ステップＳ１１０２）。
【００３２】
図１２に、放送受信録画装置１のコントローラ５で実行される予約情報削除指示ルーチンの動作を示す。予約情報削除指示ルーチンは、状態の項目が「暫定有効」に設定されている繰り返し性を有する放送番組の予約情報に基づき録画された放送番組が、所定期間内に再生を完了したときに実行される。ここで、所定期間は、状態の項目が「暫定有効」に設定されている繰り返し性を有する放送番組の予約情報に基づいた録画が実行されてから、その予約情報に基づき次の録画が実行されるまでの期間である。
【００３３】
コントローラ５は、予約情報を削除するか否かの入力を催告する予約情報削除指示入力画面を表示する（ステップＳ１２０１）。そして、コントローラ５は、入力された指示が削除可であるかどうかを確認する（ステップＳ１２０２）。削除可が入力された場合、コントローラ５は、状態の項目が「暫定有効」に設定されている予約情報を予約情報テーブル７から削除する（ステップＳ１２０３）。
【００３４】
予約情報の削除不可が入力された場合、コントローラ５は、状態の項目が「暫定有効」に設定されている予約情報の状態の項目を「有効」に設定する（ステップＳ１２０４）。
【００３５】
図１３に、放送受信録画装置１のコントローラ５で実行される予約情報削除ルーチンの動作を示す。予約情報削除ルーチンは、割り込みにより周期的に実行される。
【００３６】
コントローラ５は、状態の項目が「暫定有効」に設定されている繰り返し性を有する放送番組の予約情報に基づいた録画が実行されてから所定期間が経過したかどうかを確認する（ステップＳ１３０１）。ここで、所定期間は、状態の項目が「暫定有効」に設定されている繰り返し性を有する放送番組の予約情報に基づいた録画が実行されてから、その予約情報に基づき次の録画が実行されるまでの期間である。所定期間が経過していない場合は、処理を終了する。
【００３７】
所定期間が経過した場合、コントローラ５は、状態の項目が「暫定有効」に設定されている繰り返し性を有する放送番組の予約情報に基づいて録画された放送番組が再生されたかどうかを確認する（ステップＳ１３０２）。再生されている場合は、処理を終了する。再生されていない場合、コントローラ５は、状態の項目が「暫定有効」に設定されている繰り返し性を有する放送番組の予約情報を予約情報テーブル７から削除する（ステップＳ１３０３）。
【００３８】
上記説明したように、本発明の放送受信録画装置は、放送予定日時の重複する新規の予約情報の入力により無効状態に設定された繰り返し性を有する放送番組の予約情報を、新規の予約情報に基づいた録画の終了後に有効状態に復旧している。そして、復旧された繰り返し性を有する放送番組の予約情報に基づいた録画の終了後、所定期間内にその録画された放送番組が再生されない場合は、繰り返し性を有する放送番組の予約情報を削除している。それ故、操作者の意図に反して繰り返し性を有する放送番組の録画が実行されることを防ぐことが出来る。
【図面の簡単な説明】
【００３９】
【図１】本発明の実施例である放送受信録画装置を示すブロック図である。
【図２】図１の放送受信録画装置の予約情報テーブルの例を示す図である。
【図３】図１の放送受信録画装置の予約情報の入力及び予約情報に基づく録画の動作を示すシーケンス図である。
【図４】図１の放送受信録画装置の予約情報テーブルの例を示す図である。
【図５】図１の放送受信録画装置の予約情報テーブルの例を示す図である。
【図６】図１の放送受信録画装置の予約情報テーブルの例を示す図である。
【図７】図１の放送受信録画装置の予約情報の入力及び予約情報に基づく録画の動作を示すシーケンス図である。
【図８】図１の放送受信録画装置の予約情報削除指示入力画面の例を示す図である。
【図９】図１の放送受信録画装置の予約情報テーブルの例を示す図である。
【図１０】図１の放送受信録画装置の予約情報設定ルーチンの動作を示すフローチャートである。
【図１１】図１の放送受信録画装置の予約情報復旧ルーチンの動作を示すフローチャートである。
【図１２】図１の放送受信録画装置の予約情報削除指示ルーチンの動作を示すフローチャートである。
【図１３】図１の放送受信録画装置の予約情報削除ルーチンの動作を示すフローチャートである。
【符号の説明】
【００４０】
１  放送受信録画装置
２  受信部
３  記録信号処理部
４  記録再生部
５  コントローラ
６  メモリ
７  予約情報テーブル
８  操作入力部
【図１】
2008199310.tif 000003
【図２】
2008199310.tif 000004
【図３】
2008199310.tif 000005
【図４】
2008199310.tif 000006
【図５】
2008199310.tif 000007
【図６】
2008199310.tif 000008
【図７】
2008199310.tif 000009
【図８】
2008199310.tif 000010
【図９】
2008199310.tif 000011
【図１０】
2008199310.tif 000012
【図１１】
2008199310.tif 000013
【図１２】
2008199310.tif 000014
【図１３】
2008199310.tif 000015